(57)【要約】  本発明はスケジューリング要求の設定方法、ネットワーク装置、端末装置及びコンピュータ記憶媒体を開示し、方法は、ネットワーク側により設定された少なくとも１つの帯域幅部分（ＢＷＰ）を受信するステップと、ネットワーク側により各ＢＷＰに対して設定された少なくとも１つのスケジューリング要求の設定パラメータを受信するステップであって、前記スケジューリング要求の設定パラメータがロジックチャネルとマッピング関係を有するステップと、を含む。
2020537375.tif 000002
【特許請求の範囲】
【請求項１】
スケジューリング要求の設定方法であって、端末装置に適用され、
ネットワーク側により設定された少なくとも１つの帯域幅部分（ＢＷＰ）を受信するステップと、
ネットワーク側により各ＢＷＰに対して設定された少なくとも１つのスケジューリング要求の設定パラメータを受信するステップであって、前記スケジューリング要求の設定パラメータがロジックチャネルとマッピング関係を有するステップと、を含む、スケジューリング要求の設定方法。
【請求項２】
前記方法は、
ネットワーク側から送信されたＢＷＰアクティブ化情報を受信するステップをさらに含み、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項１に記載の方法。
【請求項３】
ネットワーク側から送信されたＢＷＰアクティブ化情報を受信した後、前記方法は、
前記ＢＷＰアクティブ化情報でアクティブ化するように指示されている第２ＢＷＰ、及び各ＢＷＰに設定された少なくとも１つのスケジューリング要求の設定パラメータに基づき、前記第２ＢＷＰに対応するスケジューリング要求の設定パラメータを決定するステップと、
前記第２ＢＷＰのスケジューリング要求の設定パラメータに基づき、前記第２ＢＷＰのスケジューリング要求の設定パラメータに対応するロジックチャネルを決定するステップと、をさらに含むことを特徴とする
請求項２に記載の方法。
【請求項４】
前記第２ＢＷＰのスケジューリング要求の設定パラメータに基づき、前記第２ＢＷＰのスケジューリング要求の設定パラメータに対応するロジックチャネルを決定した後、前記方法は、
前記ロジックチャネル上でスケジューリング要求ＳＲの報告がトリガーされる場合、前記第２ＢＷＰに対応するロジックチャネルにマッピングされるスケジューリング要求の設定パラメータに基づき、対応する物理アップリンクチャネルのリソースを選択し、選択した前記物理アップリンクチャネルのリソース上で前記ＳＲを送信するステップをさらに含むことを特徴とする
請求項３に記載の方法。
【請求項５】
スケジューリング要求の設定方法であって、ネットワーク装置に適用され、
端末装置に少なくとも１つの帯域幅部分（ＢＷＰ）を設定するステップと、
前記少なくとも１つのＢＷＰのうちの各ＢＷＰに対して、少なくとも１つのスケジューリング要求の設定パラメータを設定するステップであって、前記スケジューリング要求の設定パラメータがロジックチャネルとマッピング関係を有するステップと、を含む、スケジューリング要求の設定方法。
【請求項６】
前記方法は、
前記端末装置にＢＷＰアクティブ化情報を送信するステップをさらに含み、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項５に記載の方法。
【請求項７】
前記端末装置にＢＷＰアクティブ化情報を送信する前記ステップは、
無線リソース制御（ＲＲＣ）専用設定シグナリングによって、前記端末装置にＢＷＰアクティブ化情報を送信すること、
ダウンリンク制御情報によって、前記端末装置にＢＷＰアクティブ化情報を送信すること、
媒体アクセス制御層の制御ユニットによって、前記端末装置にＢＷＰアクティブ化情報を送信すること、
予め設定された情報フォーマットによって、前記端末装置にＢＷＰアクティブ化情報を送信すること、
のうちの１つを含むことを特徴とする
請求項６に記載の方法。
【請求項８】
端末装置であって、
ネットワーク側により設定された少なくとも１つの帯域幅部分（ＢＷＰ）を受信するように構成される第１受信ユニットと、
ネットワーク側により各ＢＷＰに対して設定された少なくとも１つのスケジューリング要求の設定パラメータを受信するように構成される第２受信ユニットであって、前記スケジューリング要求の設定パラメータがロジックチャネルとマッピング関係を有する第２受信ユニットと、を備える、端末装置。
【請求項９】
前記端末装置は、
ネットワーク側から送信されたＢＷＰアクティブ化情報を受信するように構成されるアクティブ化ユニットをさらに備え、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項８に記載の端末装置。
【請求項１０】
前記端末装置は、
前記ＢＷＰアクティブ化情報でアクティブ化するように指示されている第２ＢＷＰ、及び各ＢＷＰに設定された少なくとも１つのスケジューリング要求の設定パラメータに基づき、前記第２ＢＷＰに対応するスケジューリング要求の設定パラメータを決定し、前記第２ＢＷＰのスケジューリング要求の設定パラメータに基づき、前記第２ＢＷＰのスケジューリング要求の設定パラメータに対応するロジックチャネルを決定するように構成される処理ユニットをさらに備えることを特徴とする
請求項９に記載の端末装置。
【請求項１１】
前記端末装置は、
ＳＲを送信するように構成される送信ユニットをさらに備え、
対応して、前記処理ユニットは、前記ロジックチャネル上でスケジューリング要求ＳＲの報告がトリガーされる場合、前記第２ＢＷＰに対応するロジックチャネルにマッピングされるスケジューリング要求の設定パラメータに基づき、対応する物理アップリンクチャネルのリソースを選択し、選択した前記物理アップリンクチャネルのリソース上で前記ＳＲを送信するように構成されることを特徴とする
請求項１０に記載の端末装置。
【請求項１２】
ネットワーク装置であって、
端末装置に少なくとも１つの帯域幅部分（ＢＷＰ）を設定するように構成される第１設定ユニットと、
前記少なくとも１つのＢＷＰのうちの各ＢＷＰに対して、少なくとも１つのスケジューリング要求の設定パラメータを設定するように構成される第２設定ユニットであって、前記スケジューリング要求の設定パラメータがロジックチャネルとマッピング関係を有する第２設定ユニットと、を備える、ネットワーク装置。
【請求項１３】
前記ネットワーク装置は、
前記端末装置にＢＷＰアクティブ化情報を送信するように構成されるアクティブ化情報送信ユニットをさらに備え、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項１２に記載のネットワーク装置。
【請求項１４】
前記アクティブ化情報送信ユニットは、
無線リソース制御（ＲＲＣ）専用設定シグナリングによって、前記端末装置にＢＷＰアクティブ化情報を送信する処理、
ダウンリンク制御情報によって、前記端末装置にＢＷＰアクティブ化情報を送信する処理、
媒体アクセス制御層の制御ユニットによって、前記端末装置にＢＷＰアクティブ化情報を送信する処理、
予め設定された情報フォーマットによって、前記端末装置にＢＷＰアクティブ化情報を送信する処理、
のうちの１つを実行するように構成されることを特徴とする
請求項１３に記載のネットワーク装置。
【請求項１５】
端末装置であって、プロセッサと、プロセッサ上で実行可能なコンピュータプログラムを記憶するように構成されるメモリと、を備え、
前記プロセッサは、前記コンピュータプログラムを実行する時に、請求項１−４のいずれか１項に記載の方法のステップを実行するように構成される、端末装置。
【請求項１６】
ネットワーク装置であって、プロセッサと、プロセッサ上で実行可能なコンピュータプログラムを記憶するように構成されるメモリと、を備え、
前記プロセッサは、前記コンピュータプログラムを実行する時に、請求項５−７のいずれか１項に記載の方法のステップを実行するように構成される、ネットワーク装置。
【請求項１７】
実行される時に請求項１−４のいずれか１項に記載の方法ステップを実現するコンピュータ実行可能命令が記憶されているコンピュータ記憶媒体。
【請求項１８】
実行される時に請求項５−７のいずれか１項に記載の方法ステップを実現するコンピュータ実行可能命令が記憶されているコンピュータ記憶媒体。
【発明の詳細な説明】
【技術分野】
【０００１】
本発明は情報処理の技術分野に関し、特にスケジューリング要求の設定方法、ネットワーク装置、端末装置及びコンピュータ記憶媒体に関する。
【背景技術】
【０００２】
ＬＴＥスケジューリング要求（ＳＲ：ｓｃｈｅｄｕｌｉｎｇ  ｒｅｑｕｅｓｔ）は、端末がアップリンクグランドリソースを要求するために、ＰＵＣＣＨで伝送する１ｂｉｔのメッセージである。ＬＴＥでは、１つの端末の対応するＭＡＣエンティティに１つ以上のＳＲ  ｃｏｎｆｉｇｕｒａｔｉｏｎを設定することができる。複数のＳＲ  ｃｏｎｆｉｇｕｒａｔｉｏｎの設定がＣＡである場合、ＳＣｅｌｌは対応するＳＲ  ｃｏｎｆｉｇｕｒａｔｉｏｎを有してもよい。ＮＲ検討では、ｓｉｎｇｌｅ  ｃａｒｒｉｅｒの場合でも、１つのＵＥ  ＭＡＣエンティティに複数のＳＲ  ｃｏｎｆｉｇｕｒａｔｉｏｎを設定することは合意された。
【０００３】
また、ＮＲでは、サポートされるシステム帯域幅がＬＴＥの最大２０ＭＨｚのシステム帯域幅よりもはるかに大きく、一部の端末にとって、能力が制限されるため、必ずしも全部のシステム帯域幅をサポートすることができるわけではなく、また、スケジューリング効率を向上させるために、ＮＲでは帯域幅部分（ＢＷＰ：ｂａｎｄｗｉｄｔｈ  ｐａｒｔ）の概念が導入される。ＢＷＰは周波数領域次元の概念である。また、従来の検討では、１つの時点に、端末が１つのみのアクティブ化されるＢＷＰをサポートすると仮定している。ただし、このようなシナリオでは、如何に単一キャリアのユーザ装置がＢＷＰの切り替えを行う時に、マッピング関係の失効のために端末装置がＳＲを正確に送信できないのを避けるかという解決する必要がある問題が存在している。
【発明の概要】
【発明が解決しようとする課題】
【０００４】
上記技術的課題を解決するために、本発明の実施例は、スケジューリング要求の設定方法、ネットワーク装置、端末装置及びコンピュータ記憶媒体を提供する。
【課題を解決するための手段】
【０００５】
本発明の実施例に係るスケジューリング要求の設定方法は、端末装置に適用され、
ネットワーク側により設定された少なくとも１つの帯域幅部分（ＢＷＰ）を受信するステップと、
ネットワーク側により各ＢＷＰに対して設定された少なくとも１つのスケジューリング要求の設定パラメータを受信するステップであって、前記スケジューリング要求の設定パラメータがロジックチャネルとマッピング関係を有するステップと、を含む。
【０００６】
本発明の実施例に係るスケジューリング要求の設定方法、ネットワーク装置に適用され、
端末装置に少なくとも１つの帯域幅部分（ＢＷＰ）を設定するステップと、
前記少なくとも１つのＢＷＰのうちの各ＢＷＰに対して、少なくとも１つのスケジューリング要求の設定パラメータを設定するステップであって、前記スケジューリング要求の設定パラメータがロジックチャネルとマッピング関係を有するステップと、を含む。
【０００７】
本発明の実施例に係る端末装置は、
ネットワーク側により設定された少なくとも１つの帯域幅部分（ＢＷＰ）を受信するように構成される第１受信ユニットと、
ネットワーク側により各ＢＷＰに対して設定された少なくとも１つのスケジューリング要求の設定パラメータを受信するように構成される第２受信ユニットであって、前記スケジューリング要求の設定パラメータがロジックチャネルとマッピング関係を有する第２受信ユニットと、を備える。
【０００８】
本発明の実施例に係るネットワーク装置は、
端末装置に少なくとも１つの帯域幅部分（ＢＷＰ）を設定するように構成される第１設定ユニットと、
前記少なくとも１つのＢＷＰのうちの各ＢＷＰに対して、少なくとも１つのスケジューリング要求の設定パラメータを設定するように構成される第２設定ユニットであって、前記スケジューリング要求の設定パラメータがロジックチャネルとマッピング関係を有する第２設定ユニットと、を備える。
【０００９】
本発明の実施例はネットワーク装置を提供し、プロセッサと、プロセッサ上で実行可能なコンピュータプログラムを記憶するように構成されるメモリと、を備え、
前記プロセッサは、前記コンピュータプログラムを実行する時に、前述の方法のステップを実行するように構成される。
【００１０】
本発明の実施例は端末装置を提供し、プロセッサと、プロセッサ上で実行可能なコンピュータプログラムを記憶するように構成されるメモリと、を備え、
前記プロセッサは、前記コンピュータプログラムを実行する時に、前述の方法のステップを実行するように構成される。
【００１１】
本発明の実施例に係るコンピュータ記憶媒体には、実行される時に前述の方法のステップを実行するコンピュータ実行可能命令が記憶されている。
【発明の効果】
【００１２】
本発明の実施例の技術案は、ネットワークが端末装置に設定した複数のＢＷＰを受信することができ、各ＢＷＰに、対応する複数のスケジューリング要求の設定パラメータを設定することができ、各スケジューリング要求の設定パラメータがロジックチャネルとマッピング関係を有する。このようにして、端末装置がＢＷＰの切り替えを行う時に、マッピング関係の無効のため、ＳＲを正確に送信できないのを避けることができ、それにより、システムの処理効率を確保する。
【図面の簡単な説明】
【００１３】
【図１】図１は本発明の実施例に係るスケジューリング要求の設定方法のフローチャート図１である。
【図２】図２は本発明の実施例に係るスケジューリング要求の設定方法のフローチャート図２である。
【図３】図３は本発明の実施例に係るスケジューリング要求の設定方法のフローチャート図３である。
【図４】図４は本発明の実施例に係る端末装置の構成の模式図である。
【図５】図５は本発明の実施例に係るネットワーク装置の構成の模式図である。
【図６】図６は本発明の実施例に係るハードウェアの構成の模式図である。
【発明を実施するための形態】
【００１４】
本発明の実施例の特徴と技術的内容をより詳しく了解するために、以下、図面を参照して本発明の実施例の実施を詳しく説明し、添付図面は参照するためのものに過ぎず、本発明の実施例を限定するためのものではない。
【００１５】
実施例１
本願はスケジューリング要求の設定方法を提供し、端末装置に適用され、図１に示すように、ステップ１０１とステップ１０２とを含む。
【００１６】
ステップ１０１において、ネットワーク側により設定された少なくとも１つのＢＷＰを受信する。
【００１７】
ステップ１０２において、ネットワーク側により各ＢＷＰに対して設定された少なくとも１つのスケジューリング要求の設定パラメータを受信し、前記スケジューリング要求の設定パラメータがロジックチャネルとマッピング関係を有する。
【００１８】
ここで、前記ＢＷＰは周波数領域次元の概念であり、具体的には、ＲＲＣの接続状態で、ネットワーク側（又は具体的なネットワーク装置）は端末に１つ以上のＢＷＰを設定することができる。ＢＷＰは、主に下記の３つのパラメータを含み、即ち、キャリア間隔ＳＣＳを示すＮｕｍｅｒｏｌｏｇｙ：ベースパラメータセット、中心周波数点、及び帯域幅である。前記帯域幅の大きさは最大システム帯域幅の以下である。
【００１９】
ネットワーク側により設定された少なくとも１つのＢＷＰは１つ以上であってもよく、例えば、２つ又は３つのＢＷＰであってもよく、すなわち、端末装置は複数のＢＷＰにおいて切り替えることができる。
【００２０】
スケジューリング要求の設定パラメータ（ＳＲ  Ｃｏｎｆｉｇｕｒａｔｉｏｎ）には、時間領域リソース、周波数領域リソース及び要求の送信回数等のパラメータが含まれる。
【００２１】
例えば、各ＳＲ  ｃｏｎｆｉｇｕｒａｔｉｏｎのＲＲＣシグナリングの設定は以下のとおりである。
【００２２】
SchedulingRequestConfig ::=    CHOICE {
release                       NULL,
setup                      SEQUENCE {
sr-PUCCH-ResourceIndex           INTEGER (0..2047),
sr-ConfigIndex                INTEGER (0..157),
dsr-TransMax                  ENUMERATED {
n4, n8, n16, n32, n64, spare3, spare2, spare1}
}
}
sr-PUCCH-ResourceIndexは、ＵＥがＳＲを伝送するための周波数領域リソースを示し、その後の定義は当該フィールドが整数であることを示し、値の範囲が０−２０４７であり、sr-ConfigIndexは、ＳＲを伝送するためのＰＵＣＣＨの時間領域リソースを示し、その値が整数であり、範囲が０−１５７であり、dsr-TransMaxはＳＲの伝送の最大回数を決める。
【００２３】
なお、前述のステップ１０１及びステップ１０２は特定の順序を有しなくてもよく、すなわち、ステップ１０１を実行すると同時にステップ１０２を実行してもよい。
【００２４】
具体的には、端末装置はステップ１０１及びステップ１０２を完成した後、ネットワークが設定した複数のＢＷＰ、及び各ＢＷＰに対応する少なくとも１つのスケジューリング要求の設定パラメータ（ＳＲ  Ｃｏｎｆｉｇｕｒａｔｉｏｎ）を得ることができる。また、各ＳＲ  Ｃｏｎｆｉｇｕｒａｔｉｏｎは１つ以上のロジックチャネルに対応できる。さらに、各ロジックチャネルは最大で１つのＳＲ  Ｃｏｎｆｉｇｕｒａｔｉｏｎに対応できる。
【００２５】
例えば、表１を参照し、それぞれ異なるＢＷＰに属するＳＲ  ｃｏｎｆｉｇｕｒａｔｉｏｎに対して、ネットワークはロジックチャネルとそれらのＳＲ  ｃｏｎｆｉｇｕｒａｔｉｏｎとのマッピング関係を事前に設定し、例えば、以下に示すように、ＢＷＰ−Ａは２種のＳＲ  ｃｏｎｆｉｇｕｒａｔｉｏｎ、ＢＷＰ−Ｂは３種のＳＲ  ｃｏｎｆｉｇｕｒａｔｉｏｎ、ＢＷＰ−Ｃは１種のＳＲ  ｃｏｎｆｉｇｕｒａｔｉｏｎを有する。
【００２６】
【表１】
2020537375.tif 000003
【００２７】
前述のステップを完成した後、図１のフローに基づき、図２に示すように、本実施例は、ネットワーク側から送信されたＢＷＰアクティブ化情報を受信するステップ１０３を含んでもよい。
【００２８】
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられる。
【００２９】
表１を例として、端末がＢＷＰアクティブ化命令を受信すると、アクティブ化されるＢＷＰがＢＷＰ−Ａ、ＢＷＰ−Ｂ及びＢＷＰ−Ｃのどちらに属するかに基づいて、事前に設定されたロジックチャネルとＳＲ  ｃｏｎｆｉｇｕｒａｔｉｏｎとのマッピング関係を採用する。
【００３０】
前述のステップから分かるように、ステップ１０３を実行する前、すなわち、ネットワーク側から送信されたＢＷＰアクティブ化情報を受信する前、端末装置は表１に示される全部の設定関係を取得でき、即ち、端末装置は、ロジックチャネルとスケジューリング要求の設定パラメータとのマッピング関係、及びスケジューリング要求の設定パラメータとＢＷＰとのマッピング関係を事前に取得できる。
【００３１】
さらに、図２に示すように、ステップ１０３を完成した後、前記方法はステップ１０４とステップ１０５とを含んでもよい。
【００３２】
ステップ１０４において、前記ＢＷＰアクティブ化情報でアクティブ化するように指示されている第２ＢＷＰ、及び各ＢＷＰに設定された少なくとも１つのスケジューリング要求の設定パラメータに基づき、前記第２ＢＷＰに対応するスケジューリング要求の設定パラメータを決定する。
【００３３】
ステップ１０５において、前記第２ＢＷＰのスケジューリング要求の設定パラメータに基づき、前記第２ＢＷＰのスケジューリング要求の設定パラメータに対応するロジックチャネルを決定する。
【００３４】
すなわち、端末は帯域幅部分（ＢＷＰ）アクティブ化命令を受信すると、アクティブ化情報又はＲＲＣ設定情報に基づいてロジックチャネルとＳＲ  ｃｏｎｆｉｇｕｒａｔｉｏｎとのマッピング関係を変更し、端末はＳＲを送信する時に、更新されたマッピング関係でＳＲを送信する。
【００３５】
前述の実施例から分かるように、端末装置に複数のＢＷＰが設定され、あるＢＷＰに対して、複数のＳＲ  ｃｏｎｆｉｇｕｒａｔｉｏｎが設定され、あるアクティブ化されるＢＷＰに対して、ネットワークは端末にロジックチャネルからＳＲ  ｃｏｎｆｉｇｕｒａｔｉｏｎへのマッピング関係を設定し、前記アクティブ化されるＢＷＰとは、端末が現在の時刻にデータを送受信するＢＷＰを指す。
【００３６】
さらに、ロジックチャネルとＳＲ  ｃｏｎｆｉｇｕｒａｔｉｏｎの間は、マッピング関係を有し、表２に示すように、例えば、端末はロジックチャネルＬＣＨ１、ＬＣＨ２、ＬＣＨ３及びＳＲ−ＣＯＮＦＩＧ  ａ、ＳＲ−ＣＯＮＦＩＧ  ｂを有する。
【００３７】
【表２】
2020537375.tif 000004
【００３８】
端末は、ＢＷＰアクティブ化命令を受信し、当該指示により現在のＢＷＰ（すなわち、第１ＢＷＰ）を非アクティブ化（ｄｅａｃｔｉｖａｔｅ）するとともに、別のＢＷＰ（すなわち、第２ＢＷＰ）をアクティブ化し、当該別のＢＷＰがアクティブ化命令により指示される。また、ＢＷＰアクティブ化命令により、端末はロジックチャネルと新たなＳＲ  ｃｏｎｆｉｇｕｒａｔｉｏｎとのマッピング関係を更新し、新たなＳＲ  ｃｏｎｆｉｇｕｒａｔｉｏｎはアクティブ化命令の指示に基づいてアクティブ化される新たなＢＷＰに属する。更新方式は、事前設定、ＲＲＣ専用シグナリング変更、及び１つのＳＲ  ｃｏｎｆｉｇｕｒａｔｉｏｎを含む。
【００３９】
さらに、前記第２ＢＷＰのスケジューリング要求の設定パラメータに基づき、前記第２ＢＷＰのスケジューリング要求の設定パラメータに対応するロジックチャネルを決定した後、前記方法は、
前記ロジックチャネル上でスケジューリング要求ＳＲの報告がトリガーされる場合、前記第２ＢＷＰに対応するロジックチャネルにマッピングされるスケジューリング要求の設定パラメータに基づき、対応する物理アップリンクチャネルのリソースを選択し、選択した前記物理アップリンクチャネルのリソース上で前記ＳＲを送信するステップをさらに含む。
【００４０】
即ち、端末装置は、ロジックチャネルとＳＲ  ｃｏｎｆｉｇｕｒａｔｉｏｎとのマッピング関係に基づき、あるロジックチャネルでＳＲの報告がトリガーされる場合、マッピングされるＳＲ  ｃｏｎｆｉｇｕｒａｔｉｏｎを用いて、対応するＰＵＣＣＨリソースを選択してＳＲを送信する。
【００４１】
上記技術案によれば、ネットワークが端末装置に設定した複数のＢＷＰを受信することができ、各ＢＷＰに、対応する複数のスケジューリング要求の設定パラメータを設定することができ、各スケジューリング要求の設定パラメータがロジックチャネルとマッピング関係を有する。このようにして、端末装置がＢＷＰの切り替えを行う時に、マッピング関係の無効のため、ＳＲを正確に送信できないのを避けることができ、それにより、システムの処理効率を確保する。
【００４２】
実施例２
本願はスケジューリング要求の設定方法を提供し、ネットワーク装置に適用され、図３に示すように、ステップ３０１とステップ３０２とを含み、
ステップ３０１において、端末装置に少なくとも１つの帯域幅部分（ＢＷＰ）を設定する。
【００４３】
ステップ３０２において、前記少なくとも１つのＢＷＰのうちの各ＢＷＰに対して、少なくとも１つのスケジューリング要求の設定パラメータを設定し、前記スケジューリング要求の設定パラメータがロジックチャネルとマッピング関係を有する。
【００４４】
ここで、前記ＢＷＰは周波数領域次元の概念であり、具体的には、ＲＲＣの接続状態で、ネットワーク側（又は具体的なネットワーク装置）は端末に１つ以上のＢＷＰを設定することができる。ＢＷＰは、主に下記の３つのパラメータを含み、即ち、キャリア間隔ＳＣＳを示すＮｕｍｅｒｏｌｏｇｙ：ベースパラメータセット、中心周波数点、及び帯域幅である。前記帯域幅の大きさは最大システム帯域幅の以下である。
【００４５】
ネットワーク側により設定された少なくとも１つのＢＷＰは１つ以上であってもよく、例えば、２つ又は３つのＢＷＰであってもよく、すなわち、端末装置は複数のＢＷＰにおいて切り替えることができる。
【００４６】
スケジューリング要求の設定パラメータ（ＳＲ  Ｃｏｎｆｉｇｕｒａｔｉｏｎ）には、時間領域リソース、周波数領域リソース及び要求の送信回数等のパラメータが含まれる。
【００４７】
例えば、各ＳＲ  ｃｏｎｆｉｇｕｒａｔｉｏｎのＲＲＣシグナリングの設定は以下のとおりである。
【００４８】
SchedulingRequestConfig ::=    CHOICE {
release                       NULL,
setup                      SEQUENCE {
sr-PUCCH-ResourceIndex           INTEGER (0..2047),
sr-ConfigIndex                INTEGER (0..157),
dsr-TransMax                  ENUMERATED {
n4, n8, n16, n32, n64, spare3, spare2, spare1}
}
}
sr-PUCCH-ResourceIndexは、ＵＥがＳＲを伝送するための周波数領域リソースを示し、その後の定義は当該フィールドが整数であることを示し、値の範囲が０−２０４７であり、sr-ConfigIndexは、ＳＲを伝送するためのＰＵＣＣＨの時間領域リソースを示し、その値が整数であり、範囲が０−１５７であり、dsr-TransMaxはＳＲの伝送の最大回数を決める。
【００４９】
なお、前述のステップ３０１及びステップ３０２は特定の順序を有しなくてもよく、すなわち、ステップ３０１を実行すると同時にステップ３０２を実行してもよい。
【００５０】
具体的には、端末装置がステップ３０１及びステップ３０２を完成した後、端末装置に複数のＢＷＰ、及び各ＢＷＰに対応する少なくとも１つのスケジューリング要求の設定パラメータ（ＳＲ  Ｃｏｎｆｉｇｕｒａｔｉｏｎ）を設定することができる。また、各ＳＲ  Ｃｏｎｆｉｇｕｒａｔｉｏｎは１つ以上のロジックチャネルに対応できる。さらに、各ロジックチャネルは最大で１つのＳＲ  Ｃｏｎｆｉｇｕｒａｔｉｏｎに対応できる。
【００５１】
例えば、表１を参照し、ネットワークは端末にＢＷＰを設定する時に、ＢＷＰのＳＲ  ｃｏｎｆｉｇｕｒａｔｉｏｎとＬＣＨとのマッピング関係を事前に設定し、例えば、
ネットワークは端末にＢＷＰ−Ａ、ＢＷＰ−Ｂ、ＢＷＰ−Ｃという３つのＢＷＰを設定し、
それぞれ異なるＢＷＰに属するＳＲ  ｃｏｎｆｉｇｕｒａｔｉｏｎに対して、ネットワークはロジックチャネルとそれらのＳＲ  ｃｏｎｆｉｇｕｒａｔｉｏｎとのマッピング関係を事前に設定し、例えば、以下に示すように、ＢＷＰ−Ａは２種のＳＲ  ｃｏｎｆｉｇｕｒａｔｉｏｎ、ＢＷＰ−Ｂは３種のＳＲ  ｃｏｎｆｉｇｕｒａｔｉｏｎ、ＢＷＰ−Ｃは１種のＳＲ  ｃｏｎｆｉｇｕｒａｔｉｏｎを有する。
【００５２】
【表３】
2020537375.tif 000005
【００５３】
前述のステップを完成した後、前記端末装置にＢＷＰアクティブ化情報を送信するステップをさらに含む。
【００５４】
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられる。
【００５５】
前述のステップから分かるように、ＢＷＰアクティブ化情報が送信される前、端末装置は表１に示される全部の設定関係を取得でき、即ち、端末装置は、ロジックチャネルとスケジューリング要求の設定パラメータとのマッピング関係、及びスケジューリング要求の設定パラメータとＢＷＰとのマッピング関係を事前に取得できる。
【００５６】
さらに、前記端末装置にＢＷＰアクティブ化情報を送信する前記ステップは、
無線リソース制御（ＲＲＣ）専用設定シグナリングによって、前記端末装置にＢＷＰアクティブ化情報を送信すること、
ダウンリンク制御情報（ＤＣＩ）によって、前記端末装置にＢＷＰアクティブ化情報を送信すること、
媒体アクセス制御（ＭＡＣ）層の制御ユニット（ＣＥ）によって、前記端末装置にＢＷＰアクティブ化情報を送信すること、
予め設定された情報フォーマットによって、前記端末装置にＢＷＰアクティブ化情報を送信することのうちの１つを含む。
【００５７】
対応して、前述のアクティブ化情報の送信が完成された後、端末装置は、ロジックチャネルとＳＲ  ｃｏｎｆｉｇｕｒａｔｉｏｎとのマッピング関係に基づき、あるロジックチャネルでＳＲの報告がトリガーされる場合、マッピングされるＳＲ  ｃｏｎｆｉｇｕｒａｔｉｏｎを用いて、対応するＰＵＣＣＨリソースを選択してＳＲを送信することができる。
【００５８】
上記技術案によれば、ネットワークが端末装置に設定した複数のＢＷＰを受信することができ、各ＢＷＰに、対応する複数のスケジューリング要求の設定パラメータを設定することができ、各スケジューリング要求の設定パラメータがロジックチャネルとマッピング関係を有する。このようにして、端末装置がＢＷＰの切り替えを行う時に、マッピング関係の無効のため、ＳＲを正確に送信できないのを避けることができ、それにより、システムの処理効率を確保する。
【００５９】
実施例３
本願は端末装置を提供し、図４に示すように、第１受信ユニット４１と第２受信ユニット４２と、を備え、
第１受信ユニット４１は、ネットワーク側により設定された少なくとも１つの帯域幅部分（ＢＷＰ）を受信するように構成される。
【００６０】
第２受信ユニット４２は、ネットワーク側により各ＢＷＰに対して設定された少なくとも１つのスケジューリング要求の設定パラメータを受信するように構成され、前記スケジューリング要求の設定パラメータがロジックチャネルとマッピング関係を有する。
【００６１】
ここで、前記ＢＷＰは周波数領域次元の概念であり、具体的には、ＲＲＣの接続状態で、ネットワーク側（又は具体的なネットワーク装置）は端末に１つ以上のＢＷＰを設定することができる。ＢＷＰは、主に下記の３つのパラメータを含み、即ち、キャリア間隔ＳＣＳを示すＮｕｍｅｒｏｌｏｇｙ：ベースパラメータセット、中心周波数点、及び帯域幅である。前記帯域幅の大きさは最大システム帯域幅の以下である。
【００６２】
ネットワーク側により設定された少なくとも１つのＢＷＰは１つ以上であってもよく、例えば、２つ又は３つのＢＷＰであってもよく、すなわち、端末装置は複数のＢＷＰにおいて切り替えることができる。
【００６３】
スケジューリング要求の設定パラメータ（ＳＲ  Ｃｏｎｆｉｇｕｒａｔｉｏｎ）には、時間領域リソース、周波数領域リソース及び要求の送信回数等のパラメータが含まれる。
【００６４】
例えば、各ＳＲ  ｃｏｎｆｉｇｕｒａｔｉｏｎのＲＲＣシグナリングの設定は以下のとおりである。
【００６５】
SchedulingRequestConfig ::=    CHOICE {
release                       NULL,
setup                      SEQUENCE {
sr-PUCCH-ResourceIndex           INTEGER (0..2047),
sr-ConfigIndex                INTEGER (0..157),
dsr-TransMax                  ENUMERATED {
n4, n8, n16, n32, n64, spare3, spare2, spare1}
}
}
sr-PUCCH-ResourceIndexは、ＵＥがＳＲを伝送するための周波数領域リソースを示し、その後の定義は当該フィールドが整数であることを示し、値の範囲が０−２０４７であり、sr-ConfigIndexは、ＳＲを伝送するためのＰＵＣＣＨの時間領域リソースを示し、その値が整数であり、範囲が０−１５７であり、dsr-TransMaxはＳＲの伝送の最大回数を決める。
【００６６】
具体的には、前述の機能が完成された後、ネットワークが設定した複数のＢＷＰ、及び各ＢＷＰに対応する少なくとも１つのスケジューリング要求の設定パラメータ（ＳＲ  Ｃｏｎｆｉｇｕｒａｔｉｏｎ）を得ることができる。また、各ＳＲ  Ｃｏｎｆｉｇｕｒａｔｉｏｎは１つ以上のロジックチャネルに対応できる。さらに、各ロジックチャネルは最大で１つのＳＲ  Ｃｏｎｆｉｇｕｒａｔｉｏｎに対応できる。
【００６７】
例えば、表１を参照し、それぞれ異なるＢＷＰに属するＳＲ  ｃｏｎｆｉｇｕｒａｔｉｏｎに対して、ネットワークはロジックチャネルとそれらのＳＲ  ｃｏｎｆｉｇｕｒａｔｉｏｎとのマッピング関係を事前に設定し、例えば、以下に示すように、ＢＷＰ−Ａは２種のＳＲ  ｃｏｎｆｉｇｕｒａｔｉｏｎ、ＢＷＰ−Ｂは３種のＳＲ  ｃｏｎｆｉｇｕｒａｔｉｏｎ、ＢＷＰ−Ｃは１種のＳＲ  ｃｏｎｆｉｇｕｒａｔｉｏｎを有する。
【００６８】
【表４】
2020537375.tif 000006
【００６９】
前記端末装置は、
ネットワーク側から送信されたＢＷＰアクティブ化情報を受信するように構成されるアクティブ化ユニット４３をさらに備える。
【００７０】
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられる。
【００７１】
表１を例として、端末がＢＷＰアクティブ化命令を受信すると、アクティブ化されるＢＷＰがＢＷＰ−Ａ、ＢＷＰ−Ｂ及びＢＷＰ−Ｃのどちらに属するかに基づいて、事前に設定されたロジックチャネルとＳＲ  ｃｏｎｆｉｇｕｒａｔｉｏｎとのマッピング関係を採用する。
【００７２】
前述のステップから分かるように、ネットワーク側から送信されたＢＷＰアクティブ化情報を受信する前、端末装置は表１に示される全部の設定関係を取得でき、即ち、端末装置は、ロジックチャネルとスケジューリング要求の設定パラメータとのマッピング関係、及びスケジューリング要求の設定パラメータとＢＷＰとのマッピング関係を事前に取得できる。
【００７３】
さらに、前記端末装置は、
前記ＢＷＰアクティブ化情報でアクティブ化するように指示されている第２ＢＷＰ、及び各ＢＷＰに設定された少なくとも１つのスケジューリング要求の設定パラメータに基づき、前記第２ＢＷＰに対応するスケジューリング要求の設定パラメータを決定し、前記第２ＢＷＰのスケジューリング要求の設定パラメータに基づき、前記第２ＢＷＰのスケジューリング要求の設定パラメータに対応するロジックチャネルを決定するように構成される処理ユニット４４をさらに備える。
【００７４】
すなわち、端末は帯域幅部分（ＢＷＰ）アクティブ化命令を受信すると、アクティブ化情報又はＲＲＣ設定情報に基づいてロジックチャネルとＳＲ  ｃｏｎｆｉｇｕｒａｔｉｏｎとのマッピング関係を変更し、端末はＳＲを送信する時に、更新されたマッピング関係でＳＲを送信する。
【００７５】
前述の実施例から分かるように、端末装置に複数のＢＷＰが設定され、あるＢＷＰに対して、複数のＳＲ  ｃｏｎｆｉｇｕｒａｔｉｏｎが設定され、あるアクティブ化されるＢＷＰに対して、ネットワークは端末にロジックチャネルからＳＲ  ｃｏｎｆｉｇｕｒａｔｉｏｎへのマッピング関係を設定し、前記アクティブ化されるＢＷＰとは、端末が現在の時刻にデータを送受信するＢＷＰを指す。
【００７６】
さらに、ロジックチャネルとＳＲ  ｃｏｎｆｉｇｕｒａｔｉｏｎの間は、マッピング関係を有し、表２に示すように、例えば、端末はロジックチャネルＬＣＨ１、ＬＣＨ２、ＬＣＨ３及びＳＲ−ＣＯＮＦＩＧ  ａ、ＳＲ−ＣＯＮＦＩＧ  ｂを有する。
【００７７】
【表５】
2020537375.tif 000007
【００７８】
端末は、ＢＷＰアクティブ化命令を受信し、当該指示により現在のＢＷＰ（すなわち、第１ＢＷＰ）を非アクティブ化（ｄｅａｃｔｉｖａｔｅ）するとともに、別のＢＷＰ（すなわち、第２ＢＷＰ）をアクティブ化し、当該別のＢＷＰがアクティブ化命令により指示される。また、ＢＷＰアクティブ化命令により、端末はロジックチャネルと新たなＳＲ  ｃｏｎｆｉｇｕｒａｔｉｏｎとのマッピング関係を更新し、新たなＳＲ  ｃｏｎｆｉｇｕｒａｔｉｏｎはアクティブ化命令に基づいて指示される、アクティブ化される新たなＢＷＰに属する。更新方式は、事前設定、ＲＲＣ専用シグナリング変更、及び１つのＳＲ  ｃｏｎｆｉｇｕｒａｔｉｏｎを含む。
【００７９】
さらに、前記端末装置は、
ＳＲを送信するように構成される送信ユニット４５をさらに備える。
【００８０】
対応して、前記処理ユニット４４は、前記ロジックチャネル上でスケジューリング要求ＳＲの報告がトリガーされる場合、前記第２ＢＷＰに対応するロジックチャネルにマッピングされるスケジューリング要求の設定パラメータに基づき、対応する物理アップリンクチャネルのリソースを選択し、選択した前記物理アップリンクチャネルのリソース上で前記ＳＲを送信するように構成される。
【００８１】
即ち、端末装置は、ロジックチャネルとＳＲ  ｃｏｎｆｉｇｕｒａｔｉｏｎとのマッピング関係に基づき、あるロジックチャネルでＳＲの報告がトリガーされる場合、マッピングされるＳＲ  ｃｏｎｆｉｇｕｒａｔｉｏｎを用いて、対応するＰＵＣＣＨリソースを選択してＳＲを送信する。
【００８２】
上記技術案によれば、ネットワークが端末装置に設定した複数のＢＷＰを受信することができ、各ＢＷＰに、対応する複数のスケジューリング要求の設定パラメータを設定することができ、各スケジューリング要求の設定パラメータがロジックチャネルとマッピング関係を有する。このようにして、端末装置がＢＷＰの切り替えを行う時に、マッピング関係の無効のため、ＳＲを正確に送信できないのを避けることができ、それにより、システムの処理効率を確保する。
【００８３】
実施例４
本願はネットワーク装置を提供し、図５に示すように、第１設定ユニット５１と第２設定ユニット５２と、を備え、
第１設定ユニット５１は、端末装置に少なくとも１つの帯域幅部分（ＢＷＰ）を設定するように構成される。
【００８４】
第２設定ユニット５２は、前記少なくとも１つのＢＷＰのうちの各ＢＷＰに対して、少なくとも１つのスケジューリング要求の設定パラメータを設定するように構成され、前記スケジューリング要求の設定パラメータがロジックチャネルとマッピング関係を有する。
【００８５】
ここで、前記ＢＷＰは周波数領域次元の概念であり、具体的には、ＲＲＣの接続状態で、ネットワーク側（又は具体的なネットワーク装置）は端末に１つ以上のＢＷＰを設定することができる。ＢＷＰは、主に下記の３つのパラメータを含み、即ち、キャリア間隔ＳＣＳを示すＮｕｍｅｒｏｌｏｇｙ：ベースパラメータセット、中心周波数点、及び帯域幅である。前記帯域幅の大きさは最大システム帯域幅の以下である。
【００８６】
ネットワーク側により設定された少なくとも１つのＢＷＰは１つ以上であってもよく、例えば、２つ又は３つのＢＷＰであってもよく、すなわち、端末装置は複数のＢＷＰにおいて切り替えることができる。
【００８７】
スケジューリング要求の設定パラメータ（ＳＲ  Ｃｏｎｆｉｇｕｒａｔｉｏｎ）には、時間領域リソース、周波数領域リソース及び要求の送信回数等のパラメータが含まれる。
【００８８】
例えば、各ＳＲ  ｃｏｎｆｉｇｕｒａｔｉｏｎのＲＲＣシグナリングの設定は以下のとおりである。
【００８９】
SchedulingRequestConfig ::=     CHOICE {
release                       NULL,
setup                      SEQUENCE {
sr-PUCCH-ResourceIndex           INTEGER (0..2047),
sr-ConfigIndex                INTEGER (0..157),
dsr-TransMax                  ENUMERATED {
n4, n8, n16, n32, n64, spare3, spare2, spare1}
}
}
sr-PUCCH-ResourceIndexは、ＵＥがＳＲを伝送するための周波数領域リソースを示し、その後の定義は当該フィールドが整数であることを示し、値の範囲が０−２０４７であり、sr-ConfigIndexは、ＳＲを伝送するためのＰＵＣＣＨの時間領域リソースを示し、その値が整数であり、範囲が０−１５７であり、dsr-TransMaxはＳＲの伝送の最大回数を決める。
【００９０】
なお、前述の処理によって、端末装置に複数のＢＷＰ、及び各ＢＷＰに対応する少なくとも１つのスケジューリング要求の設定パラメータ（ＳＲ  Ｃｏｎｆｉｇｕｒａｔｉｏｎ）を設定することができる。また、各ＳＲ  Ｃｏｎｆｉｇｕｒａｔｉｏｎは１つ以上のロジックチャネルに対応できる。さらに、各ロジックチャネルは最大で１つのＳＲ  Ｃｏｎｆｉｇｕｒａｔｉｏｎに対応できる。
【００９１】
例えば、表１を参照し、ネットワークは端末にＢＷＰを設定する時に、ＢＷＰのＳＲ  ｃｏｎｆｉｇｕｒａｔｉｏｎとＬＣＨとのマッピング関係を事前に設定し、例えば、
ネットワークは端末にＢＷＰ−Ａ、ＢＷＰ−Ｂ、ＢＷＰ−Ｃという３つのＢＷＰを設定し、
それぞれ異なるＢＷＰに属するＳＲ  ｃｏｎｆｉｇｕｒａｔｉｏｎに対して、ネットワークはロジックチャネルとそれらのＳＲ  ｃｏｎｆｉｇｕｒａｔｉｏｎとのマッピング関係を事前に設定し、例えば、以下に示すように、ＢＷＰ−Ａは２種のＳＲ  ｃｏｎｆｉｇｕｒａｔｉｏｎ、ＢＷＰ−Ｂは３種のＳＲ  ｃｏｎｆｉｇｕｒａｔｉｏｎ、ＢＷＰ−Ｃは１種のＳＲ  ｃｏｎｆｉｇｕｒａｔｉｏｎを有する。
【００９２】
【表６】
2020537375.tif 000008
【００９３】
前記ネットワーク装置は、
前記端末装置にＢＷＰアクティブ化情報を送信するように構成されるアクティブ化情報送信ユニット５３をさらに備える。
【００９４】
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられる。
【００９５】
前述のステップから分かるように、ＢＷＰアクティブ化情報が送信される前、端末装置は表１に示される全部の設定関係を取得でき、即ち、端末装置は、ロジックチャネルとスケジューリング要求の設定パラメータとのマッピング関係、及びスケジューリング要求の設定パラメータとＢＷＰとのマッピング関係を事前に取得できる。
【００９６】
さらに、前記アクティブ化情報送信ユニットは、
無線リソース制御（ＲＲＣ）専用設定シグナリングによって、前記端末装置にＢＷＰアクティブ化情報を送信する処理、
ダウンリンク制御情報によって、前記端末装置にＢＷＰアクティブ化情報を送信する処理、
媒体アクセス制御層の制御ユニットによって、前記端末装置にＢＷＰアクティブ化情報を送信する処理、
予め設定された情報フォーマットによって、前記端末装置にＢＷＰアクティブ化情報を送信する処理のうちの１つを実行するように構成される。
【００９７】
対応して、前述のアクティブ化情報の送信が完成された後、端末装置は、ロジックチャネルとＳＲ  ｃｏｎｆｉｇｕｒａｔｉｏｎとのマッピング関係に基づき、あるロジックチャネルでＳＲの報告がトリガーされる場合、マッピングされるＳＲ  ｃｏｎｆｉｇｕｒａｔｉｏｎを用いて、対応するＰＵＣＣＨリソースを選択してＳＲを送信することができる。
【００９８】
上記技術案によれば、ネットワークが端末装置に設定した複数のＢＷＰを受信することができ、各ＢＷＰに、対応する複数のスケジューリング要求の設定パラメータを設定することができ、各スケジューリング要求の設定パラメータがロジックチャネルとマッピング関係を有する。このようにして、端末装置がＢＷＰの切り替えを行う時に、マッピング関係の無効のため、ＳＲを正確に送信できないのを避けることができ、それにより、システムの処理効率を確保する。
【００９９】
本発明の実施例は端末装置のハードウェア構成アーキテクチャをさらに提供し、図６に示すように、少なくとも１つのプロセッサ６１、メモリ６２、少なくとも１つのネットワークインターフェース６３を備える。各コンポーネントはバスシステム６４を介して一体に結合される。なお、バスシステム６４はこれらのコンポーネント間の接続通信を実現するように構成される。バスシステム６４は、データバスに加えて、電源バス、制御バス及び状態信号バスを備える。明確にするために、図６において様々なバスをバスシステム６４としてマークする。
【０１００】
なお、本発明の実施例のメモリ６２は、揮発性メモリ又は不揮発性メモリであってもよく、又は揮発性メモリ及び不揮発性メモリの両方を含んでもよい。
【０１０１】
いくつかの実施形態では、メモリ６２には、実行可能モジュール又はデータ構造、又はそれらのサブセット、又はそれらの拡張セット、即ちオペレーティングシステム６２１及びアプリケーションプログラム６２２という要素が記憶されている。
【０１０２】
前記プロセッサ６１は、ネットワーク側により設定された少なくとも１つの帯域幅部分（ＢＷＰ）を受信し、ネットワーク側により各ＢＷＰに対して設定された少なくとも１つのスケジューリング要求の設定パラメータを受信するように配置され、前記スケジューリング要求の設定パラメータがロジックチャネルとマッピング関係を有する。
【０１０３】
具体的には、端末装置は前述の実施例１の方法ステップを処理することができ、ここで繰り返し説明しない。
【０１０４】
本発明の実施例のネットワーク装置は、プロセッサと、プロセッサ上で実行可能なコンピュータプログラムを記憶するように構成されるメモリと、を備え、
前記プロセッサは、前記コンピュータプログラムを実行する時に、前述の実施例２の方法ステップを実行するように構成され、ここで繰り返し説明しない。
【０１０５】
本発明の実施例はコンピュータ記憶媒体を提供し、前記コンピュータ記憶媒体には、実行される時に前述の実施例１又は２の方法ステップを実施するコンピュータ実行可能命令が記憶されている。
【０１０６】
本発明の実施例の上記装置は、ソフトウェア機能モジュールの形態で実現され、独立した製品として販売又は使用される場合、コンピュータ可読記憶媒体に記憶されてもよい。このような理解に基づき、本発明の実施例の技術案、又は従来技術に寄与する部分は、ソフトウェア製品の形態で実施することができ、当該コンピュータソフトウェア製品は記憶媒体に記憶され、コンピュータ装置（パーソナルコンピュータ、サーバ、又はネットワーク装置等であってもよい）に本発明の各実施例に記載の方法の全部又は一部を実行するための複数の命令を含む。前述の記憶媒体は、Ｕディスク、モバイルディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。従って、本発明の実施例は、ハードウェアとソフトウェアの特定の組み合わせに限定されない。
【０１０７】
対応して、本発明の実施例は、本発明の実施例のデータスケジューリング方法を実行するように配置されるコンピュータプログラムが記憶されているコンピュータ記憶媒体をさらに提供する。
【０１０８】
例示のために、本発明の好ましい実施例が開示されたが、当業者は、様々な改良、追加及び置換も可能であることを認識し、従って、本発明の範囲は上記実施例に限定されるべきではない。
【図１】
2020537375.tif 000009
【図２】
2020537375.tif 000010
【図３】
2020537375.tif 000011
【図４】
2020537375.tif 000012
【図５】
2020537375.tif 000013
【図６】
2020537375.tif 000014
【手続補正書】
【提出日】令和2年8月17日(2020.8.17)
【手続補正１】
【補正対象書類名】特許請求の範囲
【補正対象項目名】全文
【補正方法】変更
【補正の内容】
【特許請求の範囲】
【請求項１】
スケジューリング要求の設定方法であって、端末装置に適用され、
ネットワーク側により設定された少なくとも１つの帯域幅部分（ＢＷＰ）を受信するステップと、
ネットワーク側により各ＢＷＰに対して設定された少なくとも１つのスケジューリング要求の設定パラメータを受信するステップであって、前記スケジューリング要求の設定パラメータがロジックチャネルとマッピング関係を有するステップと、を含む、スケジューリング要求の設定方法。
【請求項２】
前記方法は、
ネットワーク側から送信されたＢＷＰアクティブ化情報を受信するステップをさらに含み、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項１に記載の方法。
【請求項３】
ネットワーク側から送信されたＢＷＰアクティブ化情報を受信した後、前記方法は、
前記ＢＷＰアクティブ化情報でアクティブ化するように指示されている第２ＢＷＰ、及び各ＢＷＰに設定された少なくとも１つのスケジューリング要求の設定パラメータに基づき、前記第２ＢＷＰに対応するスケジューリング要求の設定パラメータを決定するステップと、
前記第２ＢＷＰのスケジューリング要求の設定パラメータに基づき、前記第２ＢＷＰのスケジューリング要求の設定パラメータに対応するロジックチャネルを決定するステップと、をさらに含むことを特徴とする
請求項２に記載の方法。
【請求項４】
前記第２ＢＷＰのスケジューリング要求の設定パラメータに基づき、前記第２ＢＷＰのスケジューリング要求の設定パラメータに対応するロジックチャネルを決定した後、前記方法は、
前記ロジックチャネル上でスケジューリング要求ＳＲの報告がトリガーされる場合、前記第２ＢＷＰに対応するロジックチャネルにマッピングされるスケジューリング要求の設定パラメータに基づき、対応する物理アップリンクチャネルのリソースを選択し、選択した前記物理アップリンクチャネルのリソース上で前記ＳＲを送信するステップをさらに含むことを特徴とする
請求項３に記載の方法。
【請求項５】
スケジューリング要求の設定方法であって、ネットワーク装置に適用され、
端末装置に少なくとも１つの帯域幅部分（ＢＷＰ）を設定するステップと、
前記少なくとも１つのＢＷＰのうちの各ＢＷＰに対して、少なくとも１つのスケジューリング要求の設定パラメータを設定するステップであって、前記スケジューリング要求の設定パラメータがロジックチャネルとマッピング関係を有するステップと、を含む、スケジューリング要求の設定方法。
【請求項６】
前記方法は、
前記端末装置にＢＷＰアクティブ化情報を送信するステップをさらに含み、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項５に記載の方法。
【請求項７】
前記端末装置にＢＷＰアクティブ化情報を送信する前記ステップは、
無線リソース制御（ＲＲＣ）専用設定シグナリングによって、前記端末装置にＢＷＰアクティブ化情報を送信すること、
ダウンリンク制御情報によって、前記端末装置にＢＷＰアクティブ化情報を送信すること、
媒体アクセス制御層の制御ユニットによって、前記端末装置にＢＷＰアクティブ化情報を送信すること、
予め設定された情報フォーマットによって、前記端末装置にＢＷＰアクティブ化情報を送信すること、
のうちの１つを含むことを特徴とする
請求項６に記載の方法。
【請求項８】
端末装置であって、
ネットワーク側により設定された少なくとも１つの帯域幅部分（ＢＷＰ）を受信するように構成される第１受信ユニットと、
ネットワーク側により各ＢＷＰに対して設定された少なくとも１つのスケジューリング要求の設定パラメータを受信するように構成される第２受信ユニットであって、前記スケジューリング要求の設定パラメータがロジックチャネルとマッピング関係を有する第２受信ユニットと、を備える、端末装置。
【請求項９】
前記端末装置は、
ネットワーク側から送信されたＢＷＰアクティブ化情報を受信するように構成されるアクティブ化ユニットをさらに備え、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項８に記載の端末装置。
【請求項１０】
前記端末装置は、
前記ＢＷＰアクティブ化情報でアクティブ化するように指示されている第２ＢＷＰ、及び各ＢＷＰに設定された少なくとも１つのスケジューリング要求の設定パラメータに基づき、前記第２ＢＷＰに対応するスケジューリング要求の設定パラメータを決定し、前記第２ＢＷＰのスケジューリング要求の設定パラメータに基づき、前記第２ＢＷＰのスケジューリング要求の設定パラメータに対応するロジックチャネルを決定するように構成される処理ユニットをさらに備えることを特徴とする
請求項９に記載の端末装置。
【請求項１１】
前記端末装置は、
ＳＲを送信するように構成される送信ユニットをさらに備え、
対応して、前記処理ユニットは、前記ロジックチャネル上でスケジューリング要求ＳＲの報告がトリガーされる場合、前記第２ＢＷＰに対応するロジックチャネルにマッピングされるスケジューリング要求の設定パラメータに基づき、対応する物理アップリンクチャネルのリソースを選択し、選択した前記物理アップリンクチャネルのリソース上で前記ＳＲを送信するように構成されることを特徴とする
請求項１０に記載の端末装置。
【請求項１２】
ネットワーク装置であって、
端末装置に少なくとも１つの帯域幅部分（ＢＷＰ）を設定するように構成される第１設定ユニットと、
前記少なくとも１つのＢＷＰのうちの各ＢＷＰに対して、少なくとも１つのスケジューリング要求の設定パラメータを設定するように構成される第２設定ユニットであって、前記スケジューリング要求の設定パラメータがロジックチャネルとマッピング関係を有する第２設定ユニットと、を備える、ネットワーク装置。
【請求項１３】
前記ネットワーク装置は、
前記端末装置にＢＷＰアクティブ化情報を送信するように構成されるアクティブ化情報送信ユニットをさらに備え、
前記ＢＷＰアクティブ化情報は、前記端末装置が現在使用している第１ＢＷＰを非アクティブ化し、前記端末装置に設定された少なくとも１つのＢＷＰのうちの、前記第１ＢＷＰと異なる第２ＢＷＰをアクティブ化するために用いられることを特徴とする
請求項１２に記載のネットワーク装置。
【請求項１４】
前記アクティブ化情報送信ユニットは、
無線リソース制御（ＲＲＣ）専用設定シグナリングによって、前記端末装置にＢＷＰアクティブ化情報を送信する処理、
ダウンリンク制御情報によって、前記端末装置にＢＷＰアクティブ化情報を送信する処理、
媒体アクセス制御層の制御ユニットによって、前記端末装置にＢＷＰアクティブ化情報を送信する処理、
予め設定された情報フォーマットによって、前記端末装置にＢＷＰアクティブ化情報を送信する処理、
のうちの１つを実行するように構成されることを特徴とする
請求項１３に記載のネットワーク装置。
【請求項１５】
実行される時に請求項１−４のいずれか１項に記載の方法ステップを実現するコンピュータ実行可能命令が記憶されているコンピュータ記憶媒体。
【国際調査報告】
2020537375.tif 000015
2020537375.tif 000016
2020537375.tif 000017
2020537375.tif 000018